(57)【要約】      （修正有）【課題】１段の本体引き出しのみが設けられまたは補助天板が設けられた既製設計のデスクに対して、増設用の補助の引き出しを増設せしめた机を提供する。【解決手段】天板１２０と、天板１２０の下面側に第１のスライダー１４０を介して固定され、天板１２０に対して前後方向にスライド自在に引き出せる補助天板１３０とを備えた机において、補助天板１３０の下面に対して、第２のスライダー１５２を介して増設引き出し部１５１を前後方向にスライド自在に取り付けた増設引き出しユニット１５０を取り付ける。なお、補助天板１３０ではなく本体引き出しが設けられた机であれば、天板１２０下面の本体引き出しの下面に増設引き出しユニット１５０を取り付けることも可能である。補助天板１３０が増設引き出し部１５１と一緒に前後方向に動かないよう第１のスライダー１４０の摺動運動を制動するストッパー１６０を設ける。【選択図】図５
0003171556.tif 000002
【実用新案登録請求の範囲】
【請求項１】
天板と、前記天板の下面側に固定された第１のスライダーと、前記第１のスライダーに取り付けられ、前記天板に対して前後方向にスライド自在に引き出せる補助天板とを備えた机に対して、
増設引き出し部と、前記増設引き出し部を前後方向にスライド自在に取り付ける第２のスライダーと、前記第２のスライダーを前記補助天板の下面側に固定する固定子を備えた増設引き出しユニットを取り付け、
前記補助天板の下において前記増設引き出し部を前後方向自在に引き出し・収納したりすることができるよう増設引き出しを増設せしめた机。
【請求項２】
前記増設引き出し部を前後方向引き出し・収納する際に、前記補助天板が一緒に前後方向に動かないよう前記第１のスライダーの摺動運動を制動するストッパーを設けた請求項１に記載の増設引き出し付き机。
【請求項３】
天板と、前記天板の下面側に固定された第１のスライダーと、前記第１のスライダーに取り付けられ、前記天板に対して前後方向にスライド自在に引き出せる補助天板とを備えた机に対して取り付ける増設引き出しユニットであって、
増設引き出し部と、前記増設引き出し部を前後方向にスライド自在に取り付ける第２のスライダーと、前記第２のスライダーを前記補助天板の下面側に固定する固定子を備え、
前記補助天板の下において前記増設引き出し部を前後方向自在に引き出し・収納したりすることができるよう増設できる増設引き出しユニット。
【請求項４】
天板と、前記天板の下面側に固定された第１のスライダーと、前記第１のスライダーに取り付けられ、前記天板に対して前後方向にスライド自在に引き出せる本体引き出しとを備えた机に対して、
増設引き出し部と、前記増設引き出し部を前後方向にスライド自在に取り付ける第２のスライダーと、前記第２のスライダーを前記本体引き出しの下面側に固定する固定子を備えた増設引き出しユニットを取り付け、
前記本体引き出しの下において前記増設引き出し部を前後方向自在に引き出し・収納したりすることができるよう増設引き出しを増設せしめた机。
【請求項５】
前記増設引き出し部を前後方向引き出し・収納する際に、前記本体引き出しが一緒に前後方向に動かないよう前記第１のスライダーの摺動運動を制動するストッパーを設けた請求項４に記載の増設引き出し付き机。
【請求項６】
天板と、前記天板の下面側に固定された第１のスライダーと、前記第１のスライダーに取り付けられ、前記天板に対して前後方向にスライド自在に引き出せる本体引き出しとを備えた机に対して取り付ける増設引き出しユニットであって、
増設引き出し部と、前記増設引き出し部を前後方向にスライド自在に取り付ける第２のスライダーと、前記第２のスライダーを前記本体引き出しの下面側に固定する固定子を備え、
前記本体引き出しの下において前記増設引き出し部を前後方向自在に引き出し・収納したりすることができるよう増設できる増設引き出しユニット。
【考案の詳細な説明】
【技術分野】
【０００１】
本考案は、パソコン用の補助天板が付属するパソコンデスクや、補助天板が付属する学習机、天板の下面に本体引き出しが付属する学習机等を改良せしめた机に関する。
【背景技術】
【０００２】
一般のオフィスデスクや学習デスクには天板の下面に本体引き出しが設けられているものが多数ある。一例としては、それらデスクの構造は、天板と、天板の下面側に固定されたスライダーと、当該スライダーに取り付けられた状態にて天板に対して前後方向にスライド自在に引き出せる本体引き出しを備えた構造となっている。
【０００３】
一般のオフィスデスクや学習デスクには使用する書類や文具が多いため引き出しの収容量が求められるところ、天板の下面の本体引き出しでは収容量が不足気味である。そのため、机のいわゆる袖部分に複数段の引き出しを備えたチェストを設けたものなども多い。このように机の袖部分において複数段の引き出しを設けて引き出し容量を増やすことができるが、天板の下面に取り付ける本体引き出しは利用者の脚部や腰部が入るスペースが必要であるため、高さの低い幅広の引き出しが１段設けられているのみであった。
【０００４】
天板の下面に本体引き出しを設けた机は古くからあるが、近年でも改良が重ねられ、例えば、少しでも使いやすくかつ引き出しの収容量を大きく確保するため、例えば、図１０および図１１に示すように、本体引き出しの前面の端面を利用者の腹部に沿って湾曲させ、外周縁部分を前方に突出して設けた特開２００３−２８４６１０号公報や特開２００３−３１０３６０号公報などが案出されている。
【０００５】
なお、近年、オフィスや家庭内において、パーソナルコンピュータの普及率が極めて高くなり、キーボードを収納できるように机天板の下面側にスライド自在に補助天板が取り付けられた補助天板付き机が知られている。例えば、図１２に示す特開２００１−１７８５６９号公報などのような補助天板付きデスクが知られている。
【０００６】
この補助天板付き机においては、パソコン本体やモニターを机天板上に配置しておいて、パソコン使用時には、補助天板を前方へ引き出してその補助天板をキーボートやマウス用の作業スペースとして利用することにより、パソコン利用を快適な環境で行うことができるものである。
【０００７】
【特許文献１】特開２００３−２８４６１０号公報
【特許文献２】特開２００３−３１０３６０号公報
【特許文献３】特開２００１−１７８５６９号公報
【考案の開示】
【考案が解決しようとする課題】
【０００８】
しかしながら、上記従来の補助天板付き机においては、補助天板が存在する箇所には引き出しを設けることができなかった。つまり、例えば補助天板の下側に引き出しが配置されるような場合には、補助天板を前方へ引き出した状態においては、補助天板が邪魔になって、引き出しを引き出しても使用することができず、仮に引き出しを引き出すことができたとしても、補助天板により引き出しの開口部が覆われているので、引き出し内部の備品等を簡単に取り出すことはできないという問題があった。
【０００９】
上記のように、天板の下面に取り付ける本体引き出しの下空間は利用者の脚部や腰部が入るスペースが必要であるため、高さの低い幅広の引き出しが１段設けられているのみであり、天板の下面に取り付ける本体引き出しの下空間をうまく活用して引き出しの収容量を増やすことができなかった。特開２００３−２８４６１０号公報や特開２００３−３１０３６０号公報などに案出されたデスクにおいても、本体引き出しとしても高さの低い幅広の引き出しが１段設けられているのみであり、本体引き出しの下空間にはさらなる引き出しなどが設けられていない。
【００１０】
同様に補助天板付き机においては、補助天板の下側に引き出しの配置はできないものであり、補助天板の下空間をうまく活用して引き出しの収容量を増やすことができなかった。
【００１１】
特開２００１−１７８５６９号公報、特開２００１−２３６１４３号公報などの補助天板付きデスクにおいても補助天板の下側には引き出しは配置しておらず、補助天板の下空間は利用されていないという問題点があった。
【００１２】
ここで、上記のように、１段の本体引き出しのみしか設けられていない既製設計のデスク、補助天板があるために本体引き出しが設けられていない既製設計のデスクに対して、柔軟に増設用の補助の引き出しを増設できれば利用者にとり、メリットが大きい。
【００１３】
そこで、上記問題に鑑み、本発明は、１段の本体引き出しのみしか設けられていない既製設計のデスク、補助天板があるために本体引き出しが設けられていない既製設計のデスクに対して、柔軟に増設用の補助の引き出しを増設せしめた机および増設引き出しを取り付けるための増設引き出しセットを提供することを目的とする。
【課題を解決するための手段】
【００１４】
上記目的を達成するため、本考案の増設引き出しを増設せしめた机は、天板と、前記天板の下面側に固定された第１のスライダーと、前記第１のスライダーに取り付けられ、前記天板に対して前後方向にスライド自在に引き出せる補助天板とを備えた机に対して、増設引き出し部と、前記増設引き出し部を前後方向にスライド自在に取り付ける第２のスライダーと、前記第２のスライダーを前記補助天板の下面側に固定する固定子を備えた増設引き出しユニットを取り付け、前記補助天板の下において前記増設引き出し部を前後方向自在に引き出し・収納したりすることができるよう増設引き出しを増設せしめた机である。
【００１５】
上記構成により、キーボードなどを載せ置く補助天板の下面にさらに増設引き出しを設けることができる。増設引き出しは、補助天板の下面から引き出したり収めたりすることができる。
【００１６】
なお、ここで、上記構成において、前記増設引き出しを前後方向引き出し・収納する際に、前記補助天板が一緒に前後方向に動かないよう前記第１のスライダーの摺動運動を制動するストッパーを設けておくことが好ましい。
【００１７】
上記構成により、増設引き出しを引き出した際に不用意に補助天板が一緒に前方に引き出されたり、増設引き出しを押し戻した際に不用意に補助天板が一緒に後方へ押し込まれたりする不具合の発生を抑えることができる。つまり、増設引き出しは補助天板に対して相対的に移動するため、増設引き出しの引き出しや押し戻しの際には、補助天板自体は動かない方が良い。そこで、第２のスライダーを介した増設引き出しの補助天板に対して摺動する際には、補助天板が動かないように固定すべくストッパーにより第１のスライダーの摺動運動を制動して固定するものである。
【００１８】
次に、本考案の原理は、天板の下面に本体引き出しが設けられた構成の机に対しても適用することができる。天板の下面の本体引き出しに増設引き出しを増設せしめた机の構成は、天板と、前記天板の下面側に固定された第１のスライダーと、前記第１のスライダーに取り付けられ、前記天板に対して前後方向にスライド自在に引き出せる本体引き出しとを備えた机に対して、増設引き出し部と、前記増設引き出し部を前後方向にスライド自在に取り付ける第２のスライダーと、前記第２のスライダーを前記本体引き出しの下面側に固定する固定子を備えた増設引き出しユニットを取り付け、前記本体引き出しの下において前記増設引き出し部を前後方向自在に引き出し・収納したりすることができるよう増設引き出しを増設せしめた机である。
【００１９】
なお、上記構成においても同様に、前記増設引き出しを前後方向引き出し・収納する際に、前記本体引き出しが一緒に前後方向に動かないよう前記第１のスライダーの摺動運動を制動するストッパーを設けておくことが好ましい。
【００２０】
次に、本考案の原理は、補助天板を具備した既製品の机に対して、外付けの増設引き出しユニットとして供給することも可能である。
補助天板を具備した既製品の机に対する本考案の増設引き出しユニットは、天板と、前記天板の下面側に固定された第１のスライダーと、前記第１のスライダーに取り付けられ、前記天板に対して前後方向にスライド自在に引き出せる補助天板とを備えた机に対して取り付ける増設引き出しユニットであって、増設引き出し部と、前記増設引き出し部を前後方向にスライド自在に取り付ける第２のスライダーと、前記第２のスライダーを前記補助天板の下面側に固定する固定子を備えたものである。
【００２１】
本考案の増設引き出しユニットを用いれば、前記補助天板の下において前記増設引き出し部を前後方向自在に引き出し・収納したりすることができるよう増設できる。
【００２２】
同様に、天板の下面に本体引き出しを具備した既製品の机に対する本考案の増設引き出しユニットは、天板と、前記天板の下面側に固定された第１のスライダーと、前記第１のスライダーに取り付けられ、前記天板に対して前後方向にスライド自在に引き出せる本体引き出しとを備えた机に対して取り付ける増設引き出しユニットであって、増設引き出し部と、前記増設引き出し部を前後方向にスライド自在に取り付ける第２のスライダーと、前記第２のスライダーを前記本体引き出しの下面側に固定する固定子を備えたものである。
上記同様、本考案の増設引き出しユニットを用いれば、前記本体引き出しの下において前記増設引き出し部を前後方向自在に引き出し・収納したりすることができる。
【考案の効果】
【００２３】
本考案の増設引き出しを増設せしめた机は、補助天板があるために天板下面に本体引き出しが設けられていない既製設計のデスクや、天板下面に補助天板はないものの１段の本体引き出しのみしか設けられていない既製設計のデスクに対して、補助天板の下面や本体引き出しの下面に対して簡単に増設引き出しを増設せしめることができる。
【考案を実施するための最良の形態】
【００２４】
以下、図面を参照しつつ、本考案の増設引き出しを増設せしめた机および増設引き出しを取り付けるための増設引き出しセットの実施形態を説明する。ただし、本考案の技術的範囲は以下の実施形態に示した具体的な用途や形状・寸法などには限定されない。
【実施例１】
【００２５】
実施例１は、補助天板を具備し、補助天板の下面に増設引き出しを設けた実施例である。
図１および図２は本考案を適用した机１００の構成例を示す図である。
図１（ａ）は正面図、図１（ｂ）は平面図、図２（ａ）および図２（ｂ）は側面図となっている。なお、図１（ｂ）の平面図においては天板１２０の下面にある補助天板１３０および増設引き出しユニット１５０が分かるように点線にて重ねて図示している。また、図２（ａ）の側面図においても補助天板１３０および増設引き出しユニット１５０の構造が分かるように内部構造の一部を点線で図示している。さらに、図２（ｂ）では補助天板１３０と増設引き出しユニット１５０のうちの増設引き出し部１５１が分かりやすいように、それらにハッチングを施して図示している。
【００２６】
図１および図２に示すように、机１００は、机本体１１０、天板１２０、補助天板１３０、第１のスライダー１４０、増設引き出しユニット１５０を備えた構成となっている。なお、増設引き出しユニット１５０は、増設引き出し部１５１、第２のスライダー１５２、固定子１５３を備えた構成となっている。
【００２７】
机本体１１０は、特に限定されず、多様な構造、多様なデザインのものが適用され得る。例えば、脚部や、袖部などを備えたものでも良い。
【００２８】
天板１２０は、机本体１１０の上面を覆う板材である。天板の形状も特に特定されないが、この構成例では単純に直方体の板材とする。
【００２９】
補助天板１３０は、天板１２０に対して前後方向にスライド自在に引き出せるように配設されたものである。第１のスライダー１４０により天板１２０に対して相対的にスライド自在に取り付けられる。
【００３０】
第１のスライダー１４０は摺動機構を備えたものであり、ここでは天板１２０側にスライダー機構の一方が固定され、補助天板１３０側にスライダー機構の他方が固定され、天板１２０と補助天板１３０を相対的に摺動可能に接続するものとなっている。
【００３１】
固定子１４１は、第１のスライダー１４０を天板１２０および補助天板１３０に対して固定するための部材である。固定する方法は特定されないが、ここでは固定子１４１がＬ字型の部材であり、ネジ穴が設けられたものとなっている。固定子１４１のネジ穴を通しつつ雄ネジを天板１２０に螺合することにより第１のスライダー１４０のスライダー機構の一方を天板１２０に固定する。一方、補助天板１３０については、固定子１４１を補助天板１３０に直接螺合するか、または固定子１４１を第１のスライダー１４０に螺合し、第１のスライダー１４０を介して補助天板１３０を固定することにより取り付ければ良い。
【００３２】
増設引き出しユニット１５０は、補助天板１３０の下において前後方向自在に引き出し・収納したりすることができるよう増設せしめるユニットである。増設引き出しユニット１５０は、増設引き出し部１５１と第２のスライダー１５２と固定子１５３を具備したものとなっている。
【００３３】
増設引き出し部１５１は、補助天板１３０の下面において前後方向自在に引き出し・収納したりすることができるよう配設された引き出しである。後述する第２のスライダー１５２により補助天板１３０に対して前後方向に対して摺動自在に固定される。
【００３４】
増設引き出し部１５１の形状は特に限定されないが、補助天板１３０の下空間には利用者の脚部や腰部が入る空間でもあるので、補助天板１３０のさらに下面に設けられる増設引き出し部１５１の厚みは利用者の着座には邪魔にならない程度の薄型のものが好ましい。この例では５ｃｍから１０ｃｍ程度の厚みのものとする。
【００３５】
増設引き出し部１５１の内面は収納空間であり、効率的な収納を可能とするために仕切りなどを設けた構造であっても良く、内部に収まる什器を具備したものであっても良い。
【００３６】
第２のスライダー１５２は、増設引き出し部１５１を前後方向にスライド自在に摺動可能に保持するものであり、ここでは増設引き出し部１５１の側面に取り付けられた形となっている。このように、増設引き出し部１５１の側面にスライダー機構の一方が固定され、補助天板１３０の下面側にスライダー機構の他方が固定されるように配設することにより、補助天板１３０と増設引き出し部１５１を相対的に摺動可能に接続するものとなっている。
【００３７】
固定子１５３は、第２のスライダー１５２を補助天板の下面側に固定する部材である。固定子１５３により第２のスライダー１５２を補助天板１３０に対して摺動可能に取り付けることにより、増設引き出し部１５１が補助天板１３０に対して前後方向にスライド自在に引き出せる。
【００３８】
ここで、増設引き出し部１５１と第２のスライダー１５２と固定子１５３により増設引き出しユニット１５０が構成される。
この増設引き出しユニット１５０を補助天板１３０下面に適用することにより、補助天板１３０の下において増設引き出し部１５１を前後方向自在に引き出し・収納したりすることができるように増設せしめることができる。
【００３９】
次に、本考案の机１００の補助天板１３０の引き出し動作および増設引き出し部１５１の引き出し動作について説明する。
図３は、本考案の机１００の補助天板１３０の引き出し動作および増設引き出し部１５１の引き出し動作を側面から簡単に示した図である。
図３（ａ）に示すように、本考案の机１００の基本姿勢としては天板１２０の下面に補助天板１３０および増設引き出しユニット１５０の増設引き出し部１５１双方とも収納された状態となっている。
【００４０】
次に、本考案の机１００において、増設引き出し部１５１のみを前方に引き出すことも可能である。図３（ｂ）に示すように、増設引き出し部１５１に手を掛けて前方に引き出すことにより第２のスライダー１５２が摺動し、増設引き出し部１５１が補助天板１３０に対して相対的に前方に引き出され、増設引き出し部１５１が補助天板１３０の前端部より前方に出て、増設引き出し部１５１の上面が開放され、内部に物を収納することができる引き出しとして利用できる。ここで、第１のスライダー１４０は摺動せずに補助天板１３０は基本姿勢のまま内部にとどまり、前方には引き出されていない。
【００４１】
次に、本考案の机１００において、補助天板１３０を前方に引き出すことも可能である。図４（ａ）に示すように、補助天板１３０に手を掛けて前方に引き出すことにより第１のスライダー１４０が摺動し、補助天板１３０が前方に引き出され、補助天板１３０が天板１２０の前端部より前方に出て、キーボードを載せるなどの補助天板１３０として利用できる。この際、補助天板１３０下面に取り付けられている増設引き出しユニット１５０も併せて引き出される。
【００４２】
次に、本考案の机１００において、補助天板１３０を引き出した状態でそこからさらに増設引き出し部１５１を前方に引き出すことも可能である。図４（ｂ）に示すように、補助天板１３０に手を掛けて前方に引き出すことにより第１のスライダー１４０が摺動し、補助天板１３０が前方に引き出されて図４（ａ）と同じ状態になった後、引き続き、増設引き出し部１５１に手を掛けて前方に引き出すことにより第２のスライダー１５２が摺動し、増設引き出し部１５１が補助天板１３０に対して相対的に前方に引き出され、増設引き出し部１５１が補助天板１３０の前端部より前方に出て、増設引き出し部１５１の上面が開放され、内部に物を収納することができる引き出しとして利用できる。
【００４３】
このように、本考案の机１００において、特に、図４（ｂ）に示したように、補助天板１３０を利用しつつ、さらに、補助天板１３０の下面空間において増設引き出し部１５１を増設して引き出しとして用いることができる。
【００４４】
次に、増設引き出しを前後方向引き出し・収納する際に、前記補助天板が一緒に前後方向に動かないよう前記第１のスライダーの摺動運動を制動するストッパーを設ける工夫について述べる。
【００４５】
本考案の机１００において、摺動自在に前後方向にスライドする部材として第１のスライダー１４０と第２のスライダー１５２があり、第１のスライダー１４０は天板１２０と補助天板１３０を相対的に前後に摺動させ、第２のスライダー１５２は補助天板１３０と増設引き出し部１５１を相対的に前後に摺動させるため、第１のスライダー１４０と第２のスライダー１５２が同時に前方または後方へ摺動し得る。もし、第１のスライダー１４０と第２のスライダー１５２が同時に前方に摺動してしまうと、図３（ｂ）に示すように増設引き出し部１５２のみを前方に引き出したり、図４（ａ）に示すように補助天板１３０と増設引き出し部１５１を前方に引き出したりすることができず、第１のスライダー１４０と第２のスライダー１５２が連動してしまうおそれがある。また、図４（ｂ）に示すように、補助天板１３０を引き出した状態で増設引き出し部１５２をさらに前方に引き出している状態において、増設引き出し部１５２のみを後方に押し戻して補助天板１３０下に収納しようとした場合に補助天板１３０も併せて後方に押し戻してしまうおそれがある。
【００４６】
そこで、図５に示すように、第１のスライダー１４０による補助天板１３０の摺動運動を制動するストッパー１６０を設ける工夫を行う。図５（ｂ）はストッパー１６０の動きの一例を簡単に示す図である。ストッパー１６０の機能や形状は特に限定されないが、例えば、補助天板１３０に対して摩擦力を印加して摺動を一時的に制動する状態と、摩擦力の印加を開放して摺動自由とする状態とを切り替える構造であれば良い。図５（ｂ）の左側はストッパー１６０の先端が上昇して補助天板１３０の裏面に接する状態で摩擦力が補助天板１３０に印加されている状態、図５（ｂ）右側はストッパー１６０の先端が下降して補助天板１３０の裏面には接していない状態で摩擦力が補助天板１３０に印加されていない状態となっている。図５（ｂ）の左側の状態では補助天板１３０は前後方向には制動され、増設引き出し部１５１が前後に摺動しても補助天板１３０が併せて前後に摺動することがない。
【実施例２】
【００４７】
実施例２は、天板の下面に本体引き出しを具備し、その本体引き出しの下面にさらに増設引き出しユニットを設けた実施例である。
図６および図７は本考案を適用した机１００ａの構成例を示す図である。
図６（ａ）は正面図、図６（ｂ）は平面図、図７（ａ）および図７（ｂ）は側面図となっている。なお、図６（ｂ）の平面図においては天板１２０の下面にある本体引き出し１３０ａおよび増設引き出しユニット１５０が分かるように点線にて重ねて図示している。また、図７（ａ）の側面図においても本体引き出し１３０ａおよび増設引き出しユニット１５０の構造が分かるように内部構造の一部を点線で図示している。さらに、図７（ｂ）では本体引き出し１３０ａと、増設引き出しユニット１５０のうちの増設引き出し部１５１が分かりやすいように、それらにハッチングを施して図示している。
【００４８】
図６および図７に示すように、机１００ａは、机本体１１０、天板１２０、本体引き出し１３０ａ、第１のスライダー１４０ａ、増設引き出しユニット１５０を備えた構成となっている。実施例１の机１００に比べて、補助天板１３０の代わりに本体引き出し１３０ａが設けられた構造となっている。
【００４９】
なお、増設引き出しユニット１５０が、増設引き出し部１５１、第２のスライダー１５２、固定子１５３を備えた構成となっている点は実施例１と同様である。
【００５０】
ここで、机本体１１０および天板１２０は実施例１のものと同様で良いのでここでの説明は省略する。
【００５１】
本体引き出し１３０ａは、利用者の脚部や腰部が入る天板１２０の下面空間における単段構成の公知の引き出しである。本体引き出し１３０ａの内面は収納空間であり、効率的な収納を可能とするために仕切りなどを設けた構造であっても良く、内部に収まる什器を具備したものであっても良い。この構成例では図６および図７に示すように、本体引き出し１３０ａの下面に増設引き出しユニット１５０が設けられている。
【００５２】
第１のスライダー１４０ａは本体引き出し１３０ａを天板１２０に対して相対的に移動させるものであれば良い。実施例１と同様、摺動機構を備え、天板１２０側にスライダー機構の一方が固定され、本体引き出し１３０ａ側にスライダー機構の他方が固定され、天板１２０と本体引き出し１３０ａを相対的に摺動可能に接続するものでも良く、また、本体引き出し１３０ａ側にコマを設けておき、第１のスライダー１４０ａはそのコマが転がるように受けるレールとなっていても良い。さらに、第１のスライダー１４０ａの構造例として、本体引き出し１３０ａが内部に収納でき、前方が開放された枠体であっても良い。このように枠体内を本体引き出し１３０ａが滑り入ったり出たりする構造も除外するものではない。
【００５３】
次に、増設引き出しユニット１５０は、実施例１に示したものと同様で良く、増設引き出し部１５１、第２のスライダー１５２、固定子１５３を備えた構成となっている。
ただし、本実施例２では、増設引き出しユニット１５０は、本体引き出し１３０ａの下面に取り付けられている。つまり、固定子１５３を介して第２のスライダー１５２を本体引き出し１３０ａの下面に取り付け、増設引き出し部１５１を本体引き出し１３０ａに対して相対的に摺動可能になっている。
【００５４】
次に、本考案の机１００ａの本体引き出し１３０ａの引き出し動作および増設引き出し部１５１の引き出し動作について説明する。
図８および図９は、本考案の机１００ａの本体引き出し１３０ａの引き出し動作および増設引き出し部１５１の引き出し動作を側面から簡単に示した図である。
図８（ａ）に示すように、本考案の机１００ａの基本姿勢としては天板１２０の下面に本体引き出し１３０ａおよび増設引き出しユニット１５０の増設引き出し部１５１双方とも収納された状態となっている。
【００５５】
次に、本考案の机１００ａにおいて、増設引き出し部１５１のみを前方に引き出すことも可能である。図８（ｂ）に示すように、増設引き出し部１５１に手を掛けて前方に引き出すことにより本体引き出し１３０ａに対して相対的に前方に引き出され、増設引き出し部１５１が本体引き出し１３０ａの前端部より前方に出て、増設引き出し部１５１の上面が開放され、内部に物を収納することができる引き出しとして利用できる。ここで、第１のスライダー１４０は摺動せずに本体引き出し１３０ａは基本姿勢のまま内部にとどまり、前方には引き出されていない。
【００５６】
次に、本考案の机１００ａにおいて、本体引き出し１３０ａを前方に引き出すことも可能である。図９（ａ）に示すように、本体引き出し１３０ａに手を掛けて前方に引き出すことにより第１のスライダー１４０が摺動し、本体引き出し１３０ａが前方に引き出され、本体引き出し１３０ａが天板１２０の前端部より前方に出て、引き出しとして利用できる。この場合、本体引き出し１３０ａとともに増設引き出しユニット１５０も一緒に引き出されることとなる。
【００５７】
次に、本考案の机１００ａにおいて、本体引き出し１３０ａを引き出した状態でそこからさらに増設引き出し部１５１を前方に引き出すことも可能である。なお、本体引き出し１３０ａおよび増設引き出し部１５１は、各々別々に引き出せばよいので、両方同時に引き出す必要はないが、このような使い方も可能である。例えば、図９（ｂ）に示すように、本体引き出し１３０ａに手を掛けて前方に引き出すことにより第１のスライダー１４０が摺動し、本体引き出し１３０ａと増設引き出しユニット１５０が前方に引き出されて図９（ａ）と同じ状態になった後、さらに、図９（ｂ）に示すように、増設引き出し部１５１に手を掛けて前方に引き出すことにより第２のスライダー１５２が摺動し、増設引き出し部１５１が本体引き出し１３０ａに対して相対的に前方に引き出され、増設引き出し部１５１が本体引き出し１３０ａの前端部より前方に出て、増設引き出し部１５１の上面が開放され、内部に物を収納することができる引き出しとして利用できる。
【００５８】
このように、本考案の机１００ａにおいて、特に、図９（ｂ）に示したように、本体引き出し１３０ａを利用しつつ、さらに、本体引き出し１３０ａの下面空間において増設引き出し部１５１を増設して引き出しとして用いることができる。
【００５９】
なお、実施例１に示した第１のスライダー１４０の摺動運動を制動するストッパー１６０を設ける工夫については本実施例２についても同様である。ストッパー１６０を設けておくことにより、増設引き出し１５１を前後方向引き出し・収納する際に、本体引き出し１３０ａが一緒に前後方向に動かないよう制動することができる。
【００６０】
以上、本考案の机における好ましい実施例を図示して説明してきたが、本考案の技術的範囲を逸脱することなく種々の変更が可能であることは理解されるであろう。
【産業上の利用可能性】
【００６１】
本考案は、パソコン用の補助天板が付属するパソコンデスクや、補助天板が付属する学習机、天板の下面に本体引き出しが付属する学習机において、増設引き出しを簡単に取り付けて引き出し収用量を増加させることができる。
【図面の簡単な説明】
【００６２】
【図１】本考案を適用した実施例１の机１００の構成例を示す正面図および平面図である。
【図２】本考案を適用した実施例１の机１００の構成例を示す側面図である。
【図３】本考案の机１００の補助天板１３０の引き出し動作および増設引き出し部１５１の引き出し動作を側面から簡単に示した図（その１）である。
【図４】本考案の机１００の補助天板１３０の引き出し動作および増設引き出し部１５１の引き出し動作を側面から簡単に示した図（その２）である。
【図５】第１のスライダー１４０の摺動運動を制動するストッパー１６０を設ける工夫を示す図である。
【図６】本考案を適用した実施例２の机１００ａの構成例を示す正面図および平面図である。
【図７】本考案を適用した実施例２の机１００ａの構成例を示す側面図である。
【図８】本考案の机１００ａの本体引き出し１３０ａの引き出し動作および増設引き出し部１５１の引き出し動作を側面から簡単に示した図（その１）である。
【図９】本考案の机１００ａの本体引き出し１３０ａの引き出し動作および増設引き出し部１５１の引き出し動作を側面から簡単に示した図（その２）である。
【図１０】特開２００３−２８４６１０号公報の机を示す図である。
【図１１】特開２００３−３１０３６０号公報の机を示す図である。
【図１２】特開２００１−１７８５６９号公報の机を示す図である。
【符号の説明】
【００６３】
１００  机
１１０  机本体
１２０  天板
１３０  補助天板
１３０ａ  本体引き出し
１４０，１４０ａ  第１のスライダー
１４１，１４１ａ  固定子
１５０  増設引き出しユニット
１５１  増設引き出し部
１５２  第２のスライダー
１５３  固定子
１６０  ストッパー
【図１】
0003171556.tif 000003
【図２】
0003171556.tif 000004
【図３】
0003171556.tif 000005
【図４】
0003171556.tif 000006
【図５】
0003171556.tif 000007
【図６】
0003171556.tif 000008
【図７】
0003171556.tif 000009
【図８】
0003171556.tif 000010
【図９】
0003171556.tif 000011
【図１０】
0003171556.tif 000012
【図１１】
0003171556.tif 000013
【図１２】
0003171556.tif 000014